(57)【特許請求の範囲】
【請求項１】
床から上方に延び、軸心方向の一部又は全部において該軸心方向に沿って延び、且つ断面において開口部を有する半閉空間である柱状体溝部を一又は複数有する柱状体と、前記床に水平方向に延び、軸心方向の一部又は全部において該軸心方向に沿って延び、且つ断面において開口部を有する半閉空間である横梁体溝部を一又は複数有する横梁体と、前記柱状体と前記横梁体を連結する連結手段と、を備え、前記柱状体溝部は、前記軸心方向に沿って延びる柱状体溝部の底面と、前記柱状体溝部の底面の両端から前記柱状体溝部の底面に略垂直に延びる一対の柱状体溝部の側面とを含み、前記横梁体溝部は、前記軸心方向に沿って延びる横梁体溝部の底面と、前記横梁体溝部の底面の両端から前記横梁体溝部の底面に略垂直に延びる一対の横梁体溝部の側面とを含む空間構造体において、
前記柱状体溝部には、表面に発光素子が取り付けられ、裏面が平滑状に形成されている基板が前記軸心方向に沿って配置されるとともに、前記基板の裏面を前記柱状体溝部の底面又は前記柱状体溝部の側面に密着させる密着手段とが設けられているか、又は、
前記横梁体溝部には、表面に発光素子が取り付けられ、裏面が平滑状に形成されている基板が前記軸心方向に沿って配置されるとともに、前記基板の裏面を前記横梁体溝部の底面又は前記横梁体溝部の側面に密着させる密着手段とが設けられ、
前記基板の裏面は、前記柱状体溝部の底面又は前記横梁体溝部の底面に密着され、
前記密着手段は、前記柱状体溝部の底面又は前記横梁体溝部の底面に前記軸心方向に沿って設けられた溝と、前記基板に設けられてその裏面に突出する部材であって、前記溝に嵌り込む鉤状の部材とを含むことを特徴とする空間構造体。
【請求項２】
前記密着手段は、さらに、前記柱状体溝部の底面又は前記横梁体溝部の底面と前記基板の裏面の間に配置される部材であって、前記柱状体又は前記横梁体の熱伝導率より高い熱伝導率の材質からなる中間部材を含むことを特徴とする請求項１記載の空間構造体。
【請求項３】
床から上方に延び、軸心方向の一部又は全部において該軸心方向に沿って延び、且つ断面において開口部を有する半閉空間である柱状体溝部を一又は複数有する柱状体と、前記床に水平方向に延び、軸心方向の一部又は全部において該軸心方向に沿って延び、且つ断面において開口部を有する半閉空間である横梁体溝部を一又は複数有する横梁体と、前記柱状体と前記横梁体を連結する連結手段と、を備え、前記柱状体溝部は、前記軸心方向に沿って延びる柱状体溝部の底面と、前記柱状体溝部の底面の両端から前記柱状体溝部の底面に略垂直に延びる一対の柱状体溝部の側面とを含み、前記横梁体溝部は、前記軸心方向に沿って延びる横梁体溝部の底面と、前記横梁体溝部の底面の両端から前記横梁体溝部の底面に略垂直に延びる一対の横梁体溝部の側面とを含む空間構造体において、
前記柱状体溝部には、表面に発光素子が取り付けられ、裏面が平滑状に形成されている基板が前記軸心方向に沿って配置されるとともに、前記基板の裏面を前記柱状体溝部の底面又は前記柱状体溝部の側面に密着させる密着手段とが設けられているか、又は、
前記横梁体溝部には、表面に発光素子が取り付けられ、裏面が平滑状に形成されている基板が前記軸心方向に沿って配置されるとともに、前記基板の裏面を前記横梁体溝部の底面又は前記横梁体溝部の側面に密着させる密着手段とが設けられ、
前記基板の裏面は、前記柱状体溝部の一方の側面又は前記横梁体溝部の一方の側面に密着され、
前記密着手段は、前記柱状体溝部の底面又は前記横梁体溝部の底面に前記軸心方向に沿って設けられた溝と、前記基板に設けられてその側面に突出する部材であって、前記溝に嵌り込む鉤状の部材とを含み、
前記発光素子は、前記鉤状の部材とは反対側の前記基板の端に略垂直に設けられることを特徴とする空間構造体。
【請求項４】
床から上方に延び、軸心方向の一部又は全部において該軸心方向に沿って延び、且つ断面において開口部を有する半閉空間である柱状体溝部を一又は複数有する柱状体と、前記床に水平方向に延び、軸心方向の一部又は全部において該軸心方向に沿って延び、且つ断面において開口部を有する半閉空間である横梁体溝部を一又は複数有する横梁体と、前記柱状体と前記横梁体を連結する連結手段と、を備え、前記柱状体溝部は、前記軸心方向に沿って延びる柱状体溝部の底面と、前記柱状体溝部の底面の両端から前記柱状体溝部の底面に略垂直に延びる一対の柱状体溝部の側面とを含み、前記横梁体溝部は、前記軸心方向に沿って延びる横梁体溝部の底面と、前記横梁体溝部の底面の両端から前記横梁体溝部の底面に略垂直に延びる一対の横梁体溝部の側面とを含む空間構造体において、
前記柱状体溝部には、表面に発光素子が取り付けられ、裏面が平滑状に形成されている基板が前記軸心方向に沿って配置されるとともに、前記基板の裏面を前記柱状体溝部の底面又は前記柱状体溝部の側面に密着させる密着手段とが設けられているか、又は、
前記横梁体溝部には、表面に発光素子が取り付けられ、裏面が平滑状に形成されている基板が前記軸心方向に沿って配置されるとともに、前記基板の裏面を前記横梁体溝部の底面又は前記横梁体溝部の側面に密着させる密着手段とが設けられ、
前記基板は、第１基板と第２基板とを含み、
前記第１基板の裏面は、前記柱状体溝部の一方の側面又は前記横梁体溝部の一方の側面に密着され、
前記第２基板の裏面は、前記柱状体溝部の他方の側面又は前記横梁体溝部の他方の側面に密着され、
前記密着手段は、前記第１基板と前記第２基板の間に配置され、前記第１基板と前記第２基板をそれぞれ前記側面に向けて付勢する弾性体であり、
前記発光素子は、前記第１基板と前記第２基板の間に、前記第１基板及び前記第２基板に略垂直に設けられることを特徴とする空間構造体。
【請求項５】
前記柱状体溝部又は前記横梁体溝部には、さらに、前記発光素子に電力を供給する電源が設けられていることを特徴とする請求項１乃至請求項４いずれかに記載の空間構造体。
【請求項６】
前記柱状体溝部の開口部又は前記横梁体溝部の開口部には、透明又は半透明のカバーが設けられていることを特徴とする請求項１乃至請求項５いずれかに記載の空間構造体。
【発明の詳細な説明】
【技術分野】
【０００１】
本発明は、オフィスや展示場等において、情報機器やパネル等を展示するための空間を構築するための空間構造体、特に照明装置を内蔵する空間構造体に関する。
【背景技術】
【０００２】
【特許文献１】特開２００７−１３２４７４号公報  特許文献１は、オフィスや展示場等において、情報機器やパネル等を展示するための空間を構築するための空間構造体、特に、当該空間構造体において部材と部材との連結を行うための連結装置を開示する。特許文献１記載の空間構造体は、情報機器を交換する際に、その寸法、形状の変化に応じて再設計する必要のないものであり、新たな情報機器の登場やその情報機器の更新等に柔軟に対応できるものである。
【０００３】
特許文献１記載の空間構造体は屋内設置用であり、その上方が開放されていることから、その内部は既設の照明装置で照明されるものであった。したがって、それ自身に照明装置を備えなかった。また、特許文献１記載の空間構造体に好適な照明装置も知られていなかった。
【０００４】
【特許文献２】特開2001-3514042号公報
【特許文献３】特開2002-33011号公報
【特許文献４】特開2001-155536号公報
【特許文献５】特開2002-299697号公報
【特許文献６】特開2006-172893号公報
【特許文献７】特開2003-092022号公報
【特許文献８】特開2003-092011号公報
【特許文献９】特開2002-329896号公報
【発明の開示】
【発明が解決しようとする課題】
【０００５】
前記空間構造体自体に照明装置を備えるように要望されることがある。しかし、前記空間構造体には、天井等に取り付けるような一般的な照明装置を簡単に取り付けることができない。美観の観点からは、照明装置を外付けするのではなく、前記空間構造体自体に内蔵させることが好ましい。しかし、そのような要求を満たす照明装置は存在していない。
そこで、この発明は、上記空間構造体に内蔵可能な照明装置を提供することを目的とする。
【課題を解決するための手段】
【０００６】
この発明は、床から上方に延び、軸心方向の一部又は全部において該軸心方向に沿って延び、且つ断面において開口部を有する半閉空間である柱状体溝部を一又は複数有する柱状体と、前記床に水平方向に延び、軸心方向の一部又は全部において該軸心方向に沿って延び、且つ断面において開口部を有する半閉空間である横梁体溝部を一又は複数有する横梁体と、前記柱状体と前記横梁体を連結する連結手段と、を備え、前記柱状体溝部は、前記軸心方向に沿って延びる柱状体溝部の底面と、前記柱状体溝部の底面の両端から前記柱状体溝部の底面に略垂直に延びる一対の柱状体溝部の側面とを含み、前記横梁体溝部は、前記軸心方向に沿って延びる横梁体溝部の底面と、前記横梁体溝部の底面の両端から前記横梁体溝部の底面に略垂直に延びる一対の横梁体溝部の側面とを含む空間構造体において、
前記柱状体溝部には、表面に発光素子が取り付けられ、裏面が平滑状に形成されている基板が前記軸心方向に沿って配置されるとともに、前記基板の裏面を前記柱状体溝部の底面又は前記柱状体溝部の側面に密着させる密着手段とが設けられているか、又は、
前記横梁体溝部には、表面に発光素子が取り付けられ、裏面が平滑状に形成されている基板が前記軸心方向に沿って配置されるとともに、前記基板の裏面を前記横梁体溝部の底面又は前記横梁体溝部の側面に密着させる密着手段とが設けられている、ものである。
【０００７】
前記基板の裏面は、前記柱状体溝部の底面又は前記横梁体溝部の底面に密着され、
前記密着手段は、前記柱状体溝部の底面又は前記横梁体溝部の底面に前記軸心方向に沿って設けられた溝と、前記基板に設けられてその裏面に突出する部材であって、前記溝に嵌り込む鉤状の部材とを含む、ようにしてもよい。
【０００８】
前記密着手段は、さらに、前記柱状体溝部の底面又は前記横梁体溝部の底面と前記基板の裏面の間に配置される部材であって、熱伝導率の高い材質からなる中間部材を含む、ようにしてもよい。
【０００９】
前記基板の裏面は、前記柱状体溝部の一方の側面又は前記横梁体溝部の一方の側面に密着され、
前記密着手段は、前記柱状体溝部の底面又は前記横梁体溝部の底面に前記軸心方向に沿って設けられた溝と、前記基板に設けられてその側面に突出する部材であって、前記溝に嵌り込む鉤状の部材とを含み、
前記発光素子は、前記鉤状の部材とは反対側の前記基板の端に略垂直に設けられるものでもよい。
【００１０】
前記基板は、第１基板と第２基板とを含み、
前記第１基板の裏面は、前記柱状体溝部の一方の側面又は前記横梁体溝部の一方の側面に密着され、
前記第２基板の裏面は、前記柱状体溝部の他方の側面又は前記横梁体溝部の他方の側面に密着され、
前記密着手段は、前記第１基板と前記第２基板の間に配置され、前記第１基板と前記第２基板をそれぞれ前記側面に向けて付勢する弾性体であり、
前記発光素子は、前記第１基板と前記第２基板の間に、前記第１基板及び前記第２基板に略垂直に設けられるものでもよい。
【００１１】
前記柱状体溝部又は前記横梁体溝部には、さらに、前記発光素子に電力を供給する電源を設けてもよい。
【００１２】
前記柱状体溝部の開口部又は前記横梁体溝部の開口部には、透明又は半透明のカバーを設けてもよい。
【発明を実施するための最良の形態】
【００１３】
空間構造体について、図面に基づいて説明する。図１は、空間構造体１の全体の概要を示す図である。空間構造体１は、主に、複数の柱状体であるポール２ａ〜２ｊ（以下、まとめて「ポール２」とも称する。）と、複数の横梁体であるビーム３ａ〜３ｉ（以下、まとめて「ビーム３」とも称する。）、小ビーム４ａ〜４ｃ（以下、まとめて「小ビーム４」とも称する。）との組合せで構成されている。ポール２は床面から鉛直上方に延びて空間構造体１を支えるものであり、ビーム３、小ビーム４は床面に水平に延びポール２同士またはビーム３同士を結ぶ。
【００１４】
具体的には、図１に示す空間構造体１は矩形体を為しており、その四隅および長辺の中間近傍に六本のポール２ａ〜２ｆを有する。そして、これらのポール２ａ〜２ｆの頂部が七本のビーム３ａ〜３ｇによって連結されている。更に、図１手前のポール２ａと対向するようにポール２ｇが設けられ、該ポール２ａとポール２ｇとの間でブレス５が張られている。このポール２ｇは、ビーム３ａの途中に接続される。また、ポール２ａとポール２ｇの下部において床面に水平に延びる小ビーム４ａが接続されている。この小ビーム４ａ、ポール２ａ、２ｇ、ビーム３、ブレス５によって、空間構造体１の強度向上が図られる。
【００１５】
更に、ポール２ｅと対向するようにポール２ｈが設けられる。このポール２ｈは、ビーム３ｂの途中に接続される。そして、ポール２ｅとポール２ｈの間に二本の小ビーム４ｂが接続され、小ビーム４ｂとポール２ｅ、２ｈで囲まれた空間に棚６が設けられている。更に、ポール２ｃ、２ｄとの間に、ビーム３ｄの途中に接続されるポール２ｉ、２ｊが二本設けられる。そして、ポール２ｃ、２ｉ、２ｊ、２ｄの下部において、それぞれの間を小ビーム４ｃによって接続される。また、ポール２ｉ、２ｊの間にはスクリーン７が形成されている。このスクリーン７は、ビーム３ｇに吊り下げられて設置されるプロジェクタ８の投影面である。尚、このプロジェクタ８の重量によるビーム３ｇへの負荷を考慮して、補強のためにビーム３ｇとビーム３ｄの間にビーム３ｈ、３ｉが設けられている。また、このプロジェクタ８への信号は、棚６に収納されたコンピュータから与えられる。
【００１６】
このように空間構造体１は、コンピュータやプロジェクタ８等の情報機器が組み込まれ、その使用目的に応じて適宜、ポール、ビーム、小ビームを組合せることで構成される構造体である。従って、空間構造体１は、図１に示すものには限られず、それぞれの使用目的に応じて適宜設計される。以下に、ポール、ビーム、小ビームの詳細な構造、およびこれらの連結方法について説明する。
【００１７】
先ず、ポール２の説明を図２および図３に基づいて行う。図２はポール２の外観図であり、図３はポール２の断面図である。ポール２は、その断面において均等に四分割された形状を有する。中心部２０から四方に放射状に隔壁２１が伸び、ポール４の断面における正方形の頂点Ｐを形成する。そして、一の頂点Ｐから隣接する頂点Ｐに向かって、壁面２２が延びている。一の頂点Ｐから延びる壁面２２と、それに隣接する他の頂点Ｐから延びる壁面２２は、両頂点Ｐの中間手前まで延びており、両者は接触しない。従って、対向する壁面２２、２２（以下、「一対の壁面２２」と称する。）との間には、開口部２３が形成される。また、一対の壁面２２と隔壁２１と中心部２０とによって、溝部２４が形成される。これらの開口部２３および溝部２４は、図２に示すように、ポール２の軸心方向にその全長にわたって延びている。
【００１８】
更に、ポール２の断面の各頂点Ｐにおいて、各頂点Ｐからポール２の外方向に延出し、該頂点Ｐにつながる二つの壁面２２にそれぞれ直交する二つの外壁面２５が設けられている。その結果、一の頂点Ｐから延出する外壁面２５と、それに隣接する他の頂点Ｐから延出する外壁面２５は対向する。そして、この対向する外壁面２５と、これらとつながる一対の壁面２２とによって、ポール２の表面上に半閉空間である配線用溝部２６が形成される。この配線用溝部２６には、空間構造体１で使用される情報機器の電源ケーブルや信号ケーブルを収納することが可能である。また、配線用溝部２６にケーブルを収納すると外観のデザイン性が低下するため、図３に示すワイヤリングカバーで配線用溝部２６を覆うようにしてもよい。
【００１９】
次に、ビーム３の説明を図４および図５に基づいて行う。図４はビーム３の外観図であり、図５はビーム３の断面図である。ビーム３の断面形状は、ポール２の断面形状とほぼ同一である。ビーム３の中心部３０、隔壁３１、壁面３２（一対の壁面３２）、開口部３３、溝部３４、頂点Ｑは、ポール２の中心部２０、隔壁２１、壁面２２（一対の壁面２２）、開口部２３、溝部２４、頂点Ｐにそれぞれ対応するので、これらの詳細な説明は省略する。
【００２０】
ビーム３においては、空間構造体１で使用される情報機器の電源ケーブルや信号ケーブルを収納するための配線用溝部の構成が、ポール２の場合と異なる。ビーム３では、図５に示すように、鉛直上方向および鉛直下方向の二方向にのみ配線用溝部３６、３８が形成される。ここで、鉛直上方向の配線用溝部３６を構成する外壁面３５の高さ（頂点Ｑからの外壁面３５の高さ）は、鉛直下方向の配線用溝部３８を構成する外壁面３７の高さ（頂点Ｑからの外壁面３７の高さ）よりも高く設計されている。これは、ビーム３が空間構造体１に組み込まれるとき、配線用溝部３６は鉛直上方向に開口するのでより多くのケーブルを収納すること可能となることが好ましいからである。もちろん、鉛直下方向の配線用溝部３８にもケーブルを収納することは可能であるが、外観のデザイン性が低下するため、その場合図５に示すワイヤリングカバーで配線用溝部３８を覆うようにしてもよい。尚、ビーム３の水平方向の表面には、外壁面３５、３７に相当する壁面は設けられず、配線用溝部は存在しない。
【００２１】
次に、小ビーム４の説明を図６および図７に基づいて行う。図６は小ビーム４の外観図であり、図７は小ビーム４の断面図である。小ビーム４の断面形状は、ビーム３の横方向は同一でその縦方向を圧縮したような形状となっている。即ち、ビーム３に比べて薄型のビームである。小ビーム４の中心部４０、隔壁４１、壁面４２（一対の壁面４２）、開口部４３、溝部４４、頂点Ｒは、ビーム３の中心部３０、隔壁３１、壁面３２（一対の壁面３２）、開口部３３、溝部３４、頂点Ｑにそれぞれ対応する。更に、小ビーム４においては、上記の配線用溝部２６、３６、３８に相当する空間は設けられていない。
【００２２】
ここで、空間構造体１を構成するポール２、ビーム３、小ビーム４の連結について説明する。先ず、空間構造体１の各コーナー部における各要素の連結について、図８、９、１０に基づいて説明する。図８は、コーナー部における二本のビーム３と一本のポール２の連結の様子（例えば、空間構造体１における、ポール２ａとビーム３ａ、３ｂとの連結）を示す図である。図９、１０は、ポール２とビーム３との連結の詳細を示す図である。
【００２３】
このコーナー部におけるポール２とビーム３の連結は、ジョイント１０を介して行われる。ジョイント１０は、ポール２に設置されるときその端面と接触する設置面１０ａを有しており、この設置面１０ａの中央には貫通孔１０ｄが設けられている。この貫通孔１０ｄは、設置面１０ａがポール２の端面に設置されると、ポール２の中央部２０に設けられたネジ孔に対応する位置をとる。そして、図１０に示すようにネジによってジョイント１０をポール２に連結する。
【００２４】
更に、ジョイント１０は、ビーム３に設置されるときその端面と接触する設置面１０ｂを有しており、この設置面１０ｂの中央には貫通孔１０ｅが設けられている。この貫通孔１０ｅは、設置面１０ｂがビーム３の端面に接触すると、ビーム３の中央部３０に設けられたネジ孔に対応する位置をとる。そして、図１０に示すようにネジによってジョイント１０をビーム３に連結する。更に、設置面１０ｂがビーム３の端面に接触するときに、ビーム３の配線用溝部３８の端部に嵌まり込むビームガイド部１０ｃが、ジョイント１０に設けられている。図１０に示すように、ビームガイド部１０ｃが配線用溝部３８に嵌まり込むことで、ビーム３をジョイント１０に連結するときの作業が容易となる。この設置面
１０ｂ、ビームガイド部１０ｃ、貫通孔１０ｅは、ポール２の形状に従って、ジョイント１０に４箇所設けられている。
【００２５】
尚、ジョイント１０をポール２にネジで連結する場合は、図９に示すようにジョイント１０の上部の開口部からネジを挿入し、連結作業を行う。また、ジョイント１０をビーム３にネジで連結する場合もジョイント１０の上部の開口部からネジを挿入し、連結作業を行うか、また連結に使用する貫通孔１０ｅに対向する位置にある貫通孔１０ｅを利用してもよい。
【００２６】
このようにジョイント１０を介して、ポール２、ビーム３を連結させた後、図８に示すようにジョイント１０の上部の開口部に、アジャスタサポート１２で蓋をする。このアジャスタサポート１２には内ネジが切られた筒部が設けられ、該筒部を覆うアジャスタカバー１３と、筒部に螺合されるネジ部を有するアジャスタ１４が設けられる。このアジャスタ１４は、空間構造体１が置かれるオフィス等の天井との距離を調整するためのものである。
【００２７】
以上のように構成される空間構造体では、新たなポール２をビーム３に連結したり、既に連結されているポールの位置を容易に変更したりすることが可能となる。これは、ポール２と小ビーム４との連結についても同様である。
【００２８】
例えば、図１に示す空間構造体１において、情報機器であるプロジェクタ８の更新に伴い、それを新たなプロジェクタ８００に変更する場合を考える。このプロジェクタ８００は、プロジェクタ８より焦点距離が長く重量が重い機器である。そのような場合に、空間構造体１では、新たなビームをビーム３ｂとビーム３ｆの間に渡す。更に、補強のために、当該新たなビームとビーム３ｆとの連結部を支える位置に追加のポールを増設する。このように、空間構造体１では、情報機器の更新やその他の要因で、それを構成するポール２、ビーム３、小ビーム４を適宜増設、位置の調整が容易に可能となる。
【００２９】
空間構造体１に照明装置を組み込んだものを図１１及び図１２に示す。照明装置はポール２、ビーム３のいずれにも組み込み可能である。
【００３０】
図１１は、ビーム３の下向きの配線用溝部３８に照明装置を組み込んだ状態を示す斜視図である。同図では、照明装置の本体は照明用カバーＬＣに隠れていて現われていない。照明用カバーＬＣは、透明又は半透明であり例えば樹脂製である。ビーム３には照明装置の明るさを調整するための調光ユニットＣＯＮＴが組み込まれている。なお、調光ユニットＣＯＮＴはなくてもよい。ビーム３に組み込まれた図１１の照明装置は、室内の天井に設置された一般的な照明装置と同様に、上方から床面を照らすように機能する。
【００３１】
図１２は、照明装置の組み込まれたポール２の分解斜視図である。照明装置の本体は、複数の発光素子（発光ダイオードなど）ＬＥＤが取り付けられた基板ＰＷＢと、発光素子ＬＥＤに電力を供給する電源ＰＳとからなる。電源ＰＳは、商用１００Ｖの交流電圧を５Ｖ〜十数Ｖ程度の直流電圧に変換して発光素子ＬＥＤに供給する。なお、図１１に示すように調光ユニットＣＯＮＴをさらに備えていてもよい。
【００３２】
基板ＰＷＢ及び電源ＰＳは、ポール２の配線用溝部２６又はビーム３の配線用溝部３６，３８に収納可能に構成されている。すなわち、基板ＰＷＢ及び電源ＰＳの幅は配線用溝部２６、３６、３８の内部（底面）の幅と同じか又は小さく、その長さはポール２又はビーム３の長さと同じか又は小さい。基板ＰＷＢ及び電源ＰＳは接続用のコネクタＣＮを備えている。コネクタＣＮにより２つの基板ＰＷＢを接続することができる。例えば、比較的短い基板ＰＷＢ（例えば３０〜５０ｃｍ程度）を複数用意しておき、ポール２又はビーム３の長さに応じてそれらを接続することで必要な長さの照明装置を構成することができる。
【００３３】
図１３及び図１４は、基板ＰＷＢをポール２に取り付ける方法の説明図である。図１４は、ポール２をその中心軸２０に垂直な平面で切ったときの断面図である（図３と同様）。なお、図１４ではＬＥＤの表示を省略している（他の断面図でも同様）。なお、ビーム３の取り付け方法は、ポール２の場合と同様であるので、その説明は省略する。
【００３４】
図１３に示すように、基板ＰＷＢには複数の開口部ＰＷＢＨが設けられていて、ここにクリップＣＬＩＰが挿入され、その先端がポール２の開口部２３に嵌り込むことで基板ＰＷＢがポール２の配線用溝部２６内に固定される。クリップＣＬＩＰは例えば樹脂製で可撓性を有しており、断面においてその先端は図１４に示すように外側に向かって鉤状になっている。クリップＣＬＩＰを開口部ＰＷＢＨに挿入し、さらに開口部２３に挿入するとその先端が溝部２４内で広がるのでクリップＣＬＩＰは溝部２４に嵌り込む。
【００３５】
図１４では、基板ＰＷＢの裏面全体がポール２の配線用溝部２６を構成する壁面２２に密着している（符号Ｘ参照）が、このことは放熱の点で重要である。基板ＰＷＢで発生する熱を逃がすためには、基板ＰＷＢに熱伝導率の高い物体をなるべく広い面積で接触させる必要が有るが（熱伝導は接触面積に比例するため）、図１４では、基板ＰＷＢの裏面全体がアルミニウム製で熱伝導率の良いポール２に密着しているので、放熱効率が非常に高い。発光素子ＬＥＤが搭載されているため基板ＰＷＢの表面に放熱用の物体を接触させることができないことを考えれば、図１４の状態は最高の放熱効率を実現していると言ってよい。
【００３６】
高輝度、その寿命の長さから将来の照明の中心となるとされている発光ダイオードは、使用時の発熱により高温状態が続くとその寿命が著しく短くなる。このため、発光ダイオードを用いた照明装置においてその放熱を効率良く行うことが大きな課題となっている。効率の良い放熱を実現するには、照明装置の周りの空間を大きくとって空気の流れを良好にして熱が籠もらないようにする。空間を大きくすることができない場合は、ファンを設けて強制空冷することが行われる。
【００３７】
図１１などに示した照明装置は、本来配線用に設けられたポール２やビーム３の配線用溝部２６，３６，３８に設けられるため、その周囲の空間は狭く何らの対策をも行わないと熱が籠もりその寿命が短くなってしまう。したがって、当該照明装置では、一般的な証明装置に比べてその放熱が問題となる。したがって、図１１などの照明装置においては、ファンを設けて強制空冷する必要が有るが、ファンを設けることはコストアップになるだけでなく、ファンの取り付け位置がポール２やビーム３の端になるため美観上も問題である。さらに、ファンが発生する騒音の問題もある。
【００３８】
図１４の基板ＰＷＢの取り付け構造は、上記問題を解決したものである。ポール２やビーム３はアルミニウム製であり、その熱伝導特性が良好であるからポール２やビーム３自体を放熱器として使用することができるという点に着眼し、基板ＰＷＢの裏面全体をポール２やビーム３の内部（壁面２２，３２）に密着させることで高い放熱効率を実現した。これにより強制空冷のためのファンを設ける必要がなくなり、上記問題点を解決することができたのである。空間構造体１自体が熱伝導の対象となるので放熱構造を意識する必要がない。
【００３９】
また、電源ＰＳの出力は３０V以下であるため、当該電源ＰＳを空間構造体１に内蔵しても、空間構造体１自体を電化製品として届ける必要がない。仮に、空間構造体１の内部で１００Vの電源を使用するのであれば電化製品としての届出が必要である。
【００４０】
他の実施形態について図面を参照して説明を加える。
【００４１】
図１５及び図１６は、基板ＰＷＢをポール２に取り付ける方法の説明図である。図１６は、ポール２をその中心軸２０に垂直な平面で切ったときの断面図である（図１４と同様）。
【００４２】
図１５（ａ）及び図１６の例では、開口部ＰＷＢＨの代わりに細長い穴であるスリットＰＷＢＳが設けられている。スリットＰＷＢＳに、図１５（ｂ）に示されるホルダＨＬＤが挿入され、その先端がポール２の開口部２３に嵌り込むことで基板ＰＷＢがポール２の配線用溝部２６内に固定される。ホルダＨＬＤは例えば薄い金属板からできている弾性体である。その先端は図１６に示すように鉤状になっている。ホルダＨＬＤをスリットＰＷＢＳに挿入し、さらに開口部２３に挿入するとその先端が溝部２４内で広がるのでホルダＨＬＤは溝部２４に嵌り込む。図１６においても図１４と同様に、基板ＰＷＢの裏面全体がポール２の配線用溝部２６を構成する壁面２２に密着している（符号Ｘ参照）ので、効率良く放熱を行うことができる。
【００４３】
図１７は、基板ＰＷＢと壁面２２との間にスペーサＳＰＣを設けたものを示す。スペーサＳＰＣは、例えばアルミニウムなどの熱伝導率の高いものから出来ている。図１４のクリップＣＬＩＰに比べ、図１７のクリップＣＬＩＰはスペーサＳＰＣの厚みの分だけ長くなっている。スペーサＳＰＣを設けることで、基板ＰＷＢの照明用カバーＬＣに近づけることができる。スペーサＳＰＣの熱伝導率は高いので、放熱効率は図１４と図１７では変わらない。
【００４４】
図１８は、基板ＰＷＢの裏面全体を外壁面２５の内側（配線用溝部２６の側面）に接触させたものを示す。このようにしても放熱効率は十分高くすることができる。図１８の例では、基板ＰＷＢに垂直に発光素子ＬＥＤを設けることで、その発光面を外側（同図では下側）に向けることができる。
【００４５】
図１９は、２枚の基板ＰＷＢ（第１基板ＰＷＢ１と第２基板ＰＷＢ２）の裏面全体を互いに対向する外壁面２５の内側にそれぞれ接触させたものを示す。２枚の基板ＰＷＢ１，２の間に発光素子ＬＥＤが、その発光面が外側を向くように設けられている。図１９における基板ＰＷＢ１，２の接触面積は、図１８の２倍になり、放熱効率の向上が期待できる。また、２枚の基板ＰＷＢ１，２を外側に付勢する弾性体（スプリング）ＳＰＲを設けることで、２枚の基板ＰＷＢ１、２の裏面全体を外壁面２５の内側に密着させるとともに、その接触による摩擦抵抗を大きくすることで、２枚の基板ＰＷＢ１，２及びこれらの間に設けられる発光素子ＬＥＤ、すなわち照明装置を取り付けている。したがって、図１９では、取り付け用のホルダＨＬＤは不要である。図１９では、照明装置を摩擦で取り付けているのであるが、接触面積が広く摩擦力が大きいので、基板ＰＷＢの大きさ及び弾性体ＳＰＲの強さを適切に選択することにより、実用上支障のない程度の取り付け強度を得ることができると期待される。
【００４６】
なお、基板ＰＷＢの裏面はポール２やビーム３に密着する必要が有るので、当該裏面は突起などのない平面状（好ましくは平滑状）であることが好ましい。また、ショートの生じることのないように絶縁されていることが好ましい。そのための絶縁材は熱伝導率の高いものであることが好ましい。例えば、基板ＰＷＢの裏面を平滑状に研磨してから、シリコングリースなどを塗布することが考えられる。
【００４７】
本発明は、以上の実施の形態に限定されることなく、特許請求の範囲に記載された発明の範囲内で、種々の変更が可能であり、それらも本発明の範囲内に包含されるものであることは言うまでもない。
【図面の簡単な説明】
【００４８】
【図１】空間構造体の概略構成を表す図である。
【図２】空間構造体を構成するポールの外観図である。
【図３】図２に示すポールの断面図である。
【図４】空間構造体を構成するビームの外観図である。
【図５】図４に示すビームの断面図である。
【図６】空間構造体を構成する小ビームの外観図である。
【図７】図６に示す小ビームの断面図である。
【図８】空間構造体のコーナー部における一本のポールと二本のビームの連結の様子を示す図である。
【図９】図８に示す連結において使用されるジョイントの構造を示す図である。
【図１０】図８に示すポールとビームの連結における断面図である。
【図１１】発明の実施の形態に係る照明装置を空間構造体に組み込んだ状態を示す斜視図である。
【図１２】発明の実施の形態に係る照明装置を空間構造体に組み込んだ状態を示す分解斜視図である。
【図１３】発明の実施の形態に係る照明装置を空間構造体に取り付けるやり方の説明図（分解斜視図）である。
【図１４】発明の実施の形態に係る照明装置を空間構造体に取り付けるやり方の説明図（断面図）である。
【図１５】発明の実施の形態に係る照明装置を空間構造体に取り付ける他のやり方の説明図（分解斜視図）である。
【図１６】発明の実施の形態に係る照明装置を空間構造体に取り付ける他のやり方の説明図（断面図）である。
【図１７】発明の実施の形態に係る照明装置を空間構造体に取り付ける他のやり方の説明図（断面図）である。
【図１８】発明の実施の形態に係る照明装置を空間構造体に取り付ける他のやり方の説明図（断面図）である。
【図１９】発明の実施の形態に係る照明装置を空間構造体に取り付ける他のやり方の説明図（断面図）である。
【符号の説明】
【００４９】
１    空間構造体
２（２ａ〜２ｊ）  ポール（柱状体）
３（３ａ〜３ｉ）  ビーム（横梁体）
４（４ａ〜４ｃ）  小ビーム
２０、３０  中心部（軸心）
２１、３１  隔壁
２２、３２  壁面（柱状体溝部の底面、横梁体溝部の底面）
２３、３３  開口部
２４、３４  溝部（柱状体溝部の溝部、横梁体溝部の溝部）
２５、３５、３７  外壁面（柱状体溝部の側面、横梁体溝部の側面）
２６、３６、３８  配線用溝部（柱状体溝部、横梁体溝部）
ＣＮ    コネクタ
ＣＬＩＰ  クリップ（密着手段、鉤状の部材）
ＣＯＮＴ  調光ユニット
ＨＬＤ    ホルダ（密着手段、鉤状の部材）
ＬＣ    照明用カバー
ＬＥＤ    発光素子
ＰＳ    電源
ＰＷＢ    基板
ＰＷＢ１  第１基板
ＰＷＢ２  第２基板
ＰＷＢＨ  開口部
ＰＷＢＳ  スリット
ＳＰＣ    スペーサ（中間部材）
ＳＰＲ    弾性体（密着手段）
Ｘ    基板と壁面の密着部
【図１】
0005214256.tif 000002
【図２】
0005214256.tif 000003
【図３】
0005214256.tif 000004
【図４】
0005214256.tif 000005
【図５】
0005214256.tif 000006
【図６】
0005214256.tif 000007
【図７】
0005214256.tif 000008
【図８】
0005214256.tif 000009
【図９】
0005214256.tif 000010
【図１０】
0005214256.tif 000011
【図１１】
0005214256.tif 000012
【図１２】
0005214256.tif 000013
【図１３】
0005214256.tif 000014
【図１４】
0005214256.tif 000015
【図１５】
0005214256.tif 000016
【図１６】
0005214256.tif 000017
【図１７】
0005214256.tif 000018
【図１８】
0005214256.tif 000019
【図１９】
0005214256.tif 000020